(57)【要約】【課題】体液漏れを、体の一部のみを覆うことにより、安いコストで簡単に防ぐことができる使い捨て吸水性スカートを提供する。【解決手段】  液透過性のシートと、液不透過性のシートと、前記液透過性のシートおよび前記液不透過性のシートの間に配置された吸収体とを備える吸収シート１２と、吸収シートを人物の一部を覆うように着脱可能に略固定するための固定部１１を、吸水性シートの少なくとも一端に備える使い捨て吸水性スカート。【選択図】図４
2018143472.tif 000002
【特許請求の範囲】
【請求項１】
液透過性のシートと、液不透過性のシートと、前記液透過性のシートおよび前記液不透過性のシートの間に配置された吸収体とを備える吸収シートと、
前記吸収シートを人物の一部を覆うように着脱可能に略固定するための固定部を、前記吸水性シートの少なくとも一端に備える
使い捨て吸水性スカート。
【請求項２】
前記固定部は、前記液透過性のシートおよび前記液不透過性のシートのうち少なくとも片方が、前記人物との接触面となるよう設計される
請求項１に記載の使い捨て吸水性スカート
【請求項３】
前記固定部は、環状の弾性部により形成される
請求項１又は請求項２に記載の使い捨て吸水性スカート。
【請求項４】
前記固定部は、前記一端よりも長い紐状物体により形成される
請求項１又は請求項２に記載の使い捨て吸水性スカート。
【発明の詳細な説明】
【技術分野】
【０００１】
本発明は、使い捨て吸水性スカートに関するものである。
【背景技術】
【０００２】
寝たきり病人、乳児、幼児等の単独で排泄コントロールが困難な者は、たとえオムツを穿いていたとしても、排尿の量、排尿時の体の向きにより、尿漏れが発生することがある。尿漏れが発生すると、衣服が汚れる、布団に尿染みが付く、布団が尿臭くなる、布団を乾かさねばならない、布団シーツ等を洗濯せねばならない等の問題が発生する。
【０００３】
また月経中の女性も、生理用ナプキンを使用していたとしても、就寝時等には経血漏れが発生し、衣服や布団が汚れる等の問題が発生する。
【０００４】
上記の問題を解決するために、防水シート（特許文献１参照）が開発されている。防水シートは、布製ものと紙製（使い捨て）のものがある。
【先行技術文献】
【特許文献】
【０００５】
【特許文献１】特開２００１−４６２０３号公報
【発明の概要】
【発明が解決しようとする課題】
【０００６】
布製の防水シートは、繰り返し使用可能で経済的であるが、尿漏れ等の都度に防水シートの交換が必要である。個人差はあるものの、人の排尿の回数は昼間に５〜8回、夜に０〜1回が平均的であり、その都度尿漏れ等が発生して防水シートを交換するとなると、複数枚の洗い替えシーツが必要であり、さらに尿漏れ毎に防水シートの洗濯が必要となる。更に、病院や保育園等にて不特定多数の人間が当該防水シートを共用する場合、衛生面の問題がある。
【０００７】
紙製の防水シートの場合、尿漏れ等の発生の都度に新たなものに交換するため、衛生面の問題は発生しないものの、コストが高くなるという問題がある。更に、紙製の防水シートは、敷布団（ベッドマットを含む）の一部（主に臀部周辺が接触する部）しか覆わないため、寝相の悪い人の場合、防水シートで覆われていない部分を汚してしまうという問題がある。防水シートで敷布団全体を覆うとこの問題は解決できるが、複数枚の防水シートの利用が必要となるため、コスト高になるという別の問題が発生する。
【０００８】
さらに、寝相の悪い人は、布製または紙製の防水シートと敷布団との固定（ゴム紐、粘着テープ等）を無意識に外してしまい、敷布団上に広げていた防水シートを丸めてしまい、結果、敷布団を汚してしまうという問題が発生する。更に、寝相の悪い人は、体の向きにより、敷布団のみならず掛布団や毛布も汚してしまうという問題がある。
【０００９】
さらに、月経中の女性の場合、就寝中のみならず、覚醒中であっても、動作や状況によっては経血漏れにより、衣服等を汚してしまうという問題がある。
【００１０】
本発明は上記の問題点に鑑みなされたものである。本発明の目的は、尿・経血等の体液漏れを、体の一部のみを覆うことにより、安いコストで簡単に防ぐことができる使い捨て吸水性スカートを提供することである。
【課題を解決するための手段】
【００１１】
上記の問題点を解決するために、本発明の実施形態にかかる使い捨て吸水性スカートは、液透過性のシートと、液不透過性のシートと、前記液透過性のシートおよび前記液不透過性のシートの間に配置された吸収体とを備える吸収シートと、吸収シートを人物の一部を覆うように着脱可能に略固定するための固定部を、前記吸水性シートの少なくとも一端に備える。
【発明の効果】
【００１２】
本発明によれば、尿・経血等の体液漏れを、体の一部のみを覆うことにより、安いコストで簡単に防ぐことができる使い捨て吸水性スカートを提供することである。
【図面の簡単な説明】
【００１３】
【図１】本発明の第１の実施形態に係る使い捨て吸水性スカートの構造例を示す図である。
【図２】本発明の第１の実施形態に係る使い捨て吸水性スカートの吸収シートの内部構造例を示す図である。
【図３】本発明の第１の実施形態に係る使い捨て吸水性スカートの一使用例を示す斜視図である。
【図４】本発明の第２の実施形態に係る使い捨て吸水性スカートの一例を示す斜視図である。
【発明を実施するための形態】
【００１４】
＜本発明の第１の実施形態＞
本発明の第１の実施形態にかかる使い捨て吸水性スカート１００は、図１に示すように、吸収シート２と、当該吸収シート２を人物の一部を覆うように着脱可能に略固定するための固定部１とを備える。吸収シート２と固定部１は、公知の接合手段によって連結される。公知の接合手段としては、熱エンボス加工、ソニック加工等がある。
【００１５】
吸収シート２は、図２のＡ−Ａ‘断面図に示すように、液透過性のシート２ａと、液不透過性のシート２ｃと、液透過性のシート２ａおよび液不透過性のシート２ｃの間に配置される吸収体２ｂとを備える。液透過性のシート２ａは、水分透過が可能な不織布等からなるシートである。液不透過性のシート２ｃは、水分透過が不可能なポリエチレン等からなるシートである。吸収体２ｂは、ＳＡＰ（Superabsorbent polymer）等の高吸水性高分子を備える吸水性繊維である。
【００１６】
尚、液不透過性のシート２ｃのサイズは吸収体２ｂのサイズよりも大きい。吸収体２ｂは人物の臀部周辺に接する部分に使用し、その周囲を液不透過性のシート２ｃで囲うことで、吸収体２ｂの使用サイズを小さくし、コストダウンを図ることもできる。
【００１７】
固定部１は、吸水シートの長手方向の一端よりも左右に長く伸びた紐状の物体であり、例えば、紙、布、不織布、ゴム紐等で構成される。固定部１は、例えば、図３の模式図に示すように、人の腰部に巻き付けられることによって吸収シート２を略固定し、吸収シート２が人の臀部周辺を覆ったままの状態で長時間保持する。
【００１８】
固定部１は、人物に接触する面が、液透過性のシート２ａ側であっても、液不透過性のシート２ｃ側であっても良いように設計されてもよい。これにより、利用者は、液透過性のシート２ａが利用者の臀部等に接触するように、利用者の腰部辺りにて固定部１を略固定することで、利用者側から発生する汚れ（利用者から漏れる体液）を吸収体２ｂに吸収させることができる。また、利用者は、液不透過性のシート２ｃが利用者の臀部等に接触するように、利用者の腰部辺りにて固定部１を略固定することで、利用者の腹部、臀部側に対する外側からの汚れ（汚水等）を吸収体２ｂに吸収させることができる。
【００１９】
上述したように本発明の第１の実施形態によれば、尿・経血等の体液漏れを、体の一部のみを覆うことにより、安いコストで簡単に防ぐことができる使い捨て吸水性スカート１００を提供することができる。第１の実施形態にかかる使い捨て吸水性スカート１００は、展開した一面から成るため、介助者等は、寝たきりの病人等が吸収シート２の展開面に寝転がった状態のままでも、固定部１を巻き付ける又は取り外しすることで、使い捨て吸水性スカート１００を着脱させることができる。また、上述したように、液透過性のシート１２ａを人物の外側に向けて固定することで、人物の腹部や臀部周辺の汚れを防ぐためのエプロンとしても使用することができる。
【００２０】
＜本発明の第２の実施形態＞
本発明の第２の実施形態にかかる使い捨て吸水性スカート２００は、図４に示すように、吸収シート１２と、当該吸収シート１２を人物の一部を覆うように着脱可能に略固定するための固定部１１とを備える。吸収シート１２と固定部１１は、公知の接合手段によって連結される。
【００２１】
吸収シート１２は、環状に形成され、少なくとも一つのサイドシーム部１３によって連結される。サイドシーム部１３は複数存在してもよく、その場合、使い捨て吸水性スカート２００は、複数の吸収シート１２の連結から形成される。尚、吸収シート１２は、吸水性スカート２００の開口部（逆固定部）側からのずり上がり防止のための仮止め部１４を備えていても良い。仮止め部１４は腹部側面および臀部側面の二面を略固定するための面ファスナー、スナップ等により形成される。尚、吸収シート１２の内部構造は第１の実施形態（図２）と同様である。
【００２２】
固定部１１は、環状の弾性部により形成される。弾性部としては、平ゴム、立体ギャザー等の、弾力性があり人肌に触れても違和感のない素材を使用することが好ましい。
【００２３】
固定部１１は、例えば、図４に示すように、人の腰部に弾性部の弾力にて略固定されることによって、吸収シート１２を人の腹部および臀部の周囲一面を覆った状態のまま保持する。
【００２４】
固定部１１は、人物に接触する面が、液透過性のシート１２ａ側であっても、液不透過性のシート１２ｃ側であっても良いように設計されることが好ましい。これにより、利用者は、液透過性のシート１２ａが利用者の腹部および臀部等に接触するように、利用者の腰部辺りにて固定部１１を略固定することで、利用者側から発生する汚れ（利用者から漏れる体液）を吸収体１２ｂに吸収させることができる。また、利用者は、液不透過性のシート１２ｃを利用者の腹部および臀部等に接触するように、利用者の腰部辺りにて固定部１１を略固定することで、利用者の腹部、臀部側に対する外側からの汚れ（汚水等）を吸収体１２ｂに吸収させることができる。
【００２５】
上述したように本発明の第２の実施形態によれば、尿・経血等の体液漏れを、体の一部のみを覆うことにより、安いコストで簡単に防ぐことができる使い捨て吸水性スカート２００を提供することができる。本発明の第２の実施形態にかかる使い捨て吸水性スカート２００は、弾性力のある環状の固定部１１を備えるため、幼児であっても自身で簡単に着脱することができる。また、上述したように、液透過性のシート１２ａを人物の外側に向けて固定することで、人物の腹部や臀部周辺の汚れを防ぐためのエプロンとしても使用することができる。
【産業上の利用可能性】
【００２６】
本発明の第１の実施形態および第２の実施形態に係る使い捨て吸水性スカートは、人のみならず、液体汚れ等が発生する物（機械など）にも使用することができる。
【符号の説明】
【００２７】
１，１１        固定部
２，１２        吸収シート
２ａ            液透過性のシート
２ｂ            吸収体
２ｃ            液不透過性のシート
１３            サイドシーム部
１４            仮止め部
１００，２００  使い捨て吸水性スカート
【図１】
2018143472.tif 000003
【図２】
2018143472.tif 000004
【図３】
2018143472.tif 000005
【図４】
2018143472.tif 000006